(57)【要約】【課題】容易にダイレクトメールに掲載するイラストや写真などのイメージデータを用意してダイレクトメールを作成することができるダイレクトメール作成システムを提供することである。【解決手段】少なくとも利用者の属性に関する情報が記憶されている利用者属性情報記憶部２２と、属性情報と関連付けてダイレクトメールに掲載されるイメージデータが記憶されているイメージデータ記憶部２４と、前記利用者属性情報記憶部２２に記憶されている一の利用者の属性に関する情報に基づいて、前記イメージデータ記憶部に記憶されているイメージデータのうち少なくとも一以上のイメージデータを抽出するイメージデータ抽出手段３０と、該イメージデータ抽出手段３０によって抽出されたイメージデータを利用してダイレクトメール用イメージを作成するダイレクトメール作成手段３２と、該ダイレクトメール作成手段によって作成されたダイレクトメール用イメージを出力するダイレクトメール用イメージ出力手段３４と、を備えたことを特徴とするダイレクトメール作成システムである。【選択図】　　図１
2004029900.tif 000002
【特許請求の範囲】
【請求項１】
少なくとも利用者の属性に関する情報が記憶されている利用者属性情報記憶部と、
属性情報と関連付けてダイレクトメールに掲載されるイメージデータが記憶されているイメージデータ記憶部と、
前記利用者属性情報記憶部に記憶されている一の利用者の属性に関する情報に基づいて、前記イメージデータ記憶部に記憶されているイメージデータのうち少なくとも一以上のイメージデータを抽出するイメージデータ抽出手段と、
該イメージデータ抽出手段によって抽出された少なくとも一以上のイメージデータを利用して少なくとも一以上のダイレクトメール用イメージを作成するダイレクトメール作成手段と、
該ダイレクトメール作成手段によって作成されたダイレクトメール用イメージを出力するダイレクトメール用イメージ出力手段と、
を備えたことを特徴とするダイレクトメール作成システム。
【請求項２】
前記利用者属性情報記憶部に記憶されている利用者が、過去に利用したイメージデータの属性に関する情報が記憶されている利用者履歴情報記憶部をさらに備え、前記イメージデータ抽出手段は、前記利用者属性情報記憶部に記憶されている一の利用者の属性に関する情報、及び前記利用者履歴情報記憶部に記憶されているイメージデータの属性に関する情報に基づいて、前記イメージデータ記憶部に記憶されているイメージデータを抽出するよう構成されていることを特徴とするダイレクトメール作成システム。
【請求項３】
前記ダイレクトメール用イメージ出力手段は、前記ダイレクトメール作成手段によって作成された少なくとも一以上のダイレクトメール用イメージを利用者に送信するダイレクトメール送信手段をさらに備えたことを特徴とする請求項１又は２記載のダイレクトメール作成システム。
【請求項４】
前記ダイレクトメール送信手段によって送信された少なくとも一以上のダイレクトメール用イメージのうち、利用者が選択したダイレクトメール用イメージを利用者から受信するダイレクトメール受信手段と、該ダイレクトメール受信手段によって利用者が選択したダイレクトメール用イメージを受信すると、該ダイレクトメール用イメージを印刷するダイレクトメール印刷手段と、をさらに備えたことを特徴とする請求項３記載のダイレクトメール作成システム。
【発明の詳細な説明】
【０００１】
【発明の属する技術分野】
本発明は、利用者の属性に見合ったイラストや写真などのイメージデータを抽出し、ダイレクトメールを作成するダイレクトメール作成システムに関する。
【０００２】
【従来の技術】
従来から、イラストや写真などのイメージデータが掲載されているダイレクトメールが、利用されている。この種のダイレクトメールを作成する場合、ダイレクトメールを作成する作成者、例えばダイレクトメール作成業者は、先ず、イラストや写真などのイメージデータのサンプル集を依頼者に見せて、そのサンプル集の中から所望のイメージデータを依頼者に選択させる。そして、その選択されたイメージデータを利用してダイレクトメールが作成される。
【０００３】
【発明が解決しようとする課題】
しかしながら、このような方法でダイレクトメールを作成する作業は、ダイレクトメールを作成する作成者及び依頼者双方に負担となり煩雑である。
そこで、本発明は、容易にダイレクトメールに掲載するイラストや写真などのイメージデータを用意してダイレクトメールを作成することができるダイレクトメール作成システムを提供することを目的とする。
【０００４】
【課題を解決するための手段】
以上の目的を達成するため、本発明は、少なくとも利用者の属性に関する情報が記憶されている利用者属性情報記憶部と、属性情報と関連付けてダイレクトメールに掲載されるイメージデータが記憶されているイメージデータ記憶部と、前記利用者属性情報記憶部に記憶されている一の利用者の属性に関する情報に基づいて、前記イメージデータ記憶部に記憶されているイメージデータのうち少なくとも一以上のイメージデータを抽出するイメージデータ抽出手段と、該イメージデータ抽出手段によって抽出された少なくとも一以上のイメージデータを利用して少なくとも一以上のダイレクトメール用イメージを作成するダイレクトメール作成手段と、該ダイレクトメール作成手段によって作成されたダイレクトメール用イメージを出力するダイレクトメール用イメージ出力手段と、を備えたことを特徴とするダイレクトメール作成システムである。
【０００５】
以上のように、本発明に係るダイレクトメール作成システムは、前記利用者属性情報記憶部に記憶されている一の利用者の属性に関する情報に基づいて、前記イメージデータ記憶部に記憶されているイメージデータを抽出するよう構成されているので、利用者が検討するイメージデータを利用者の属性に見合ったものに絞ることができ、ダイレクトメールを作成する際の利用者の作業を軽減することができる。また、その抽出されたイメージデータを利用してダイレクトメールのイメージが作成され、そのダイレクトメールのイメージが、出力されるので、ダイレクトメールを作成する際の作成者の作業を軽減することができる。
【０００６】
また、本発明に係るダイレクトメール作成システムは、前記利用者属性情報記憶部に記憶されている利用者が、過去に利用したイメージデータの属性に関する情報が記憶されている利用者履歴情報記憶部をさらに備え、前記イメージデータ抽出手段は、前記利用者属性情報記憶部に記憶されている一の利用者の属性に関する情報、及び前記利用者履歴情報記憶部に記憶されているイメージデータの属性に関する情報に基づいて、前記イメージデータ記憶部に記憶されているイメージデータを抽出するよう構成されていることが好ましい。このように過去のイメージデータの属性に関する情報も関連付けることにより抽出するイメージデータをさらに少なくすることができ、その後の利用者のイメージの選択をより容易にすることができる。
【０００７】
さらに、本発明に係るダイレクトメール作成システムにおいて、前記ダイレクトメール用イメージ出力手段は、前記ダイレクトメール作成手段によって作成された少なくとも一以上のダイレクトメール用イメージを利用者に送信するダイレクトメール送信手段をさらに備えていることが好ましく、この場合、本発明に係るダイレクトメール作成システムは、前記ダイレクトメール送信手段によって送信された少なくとも一以上のダイレクトメール用イメージのうち、利用者が選択したダイレクトメール用イメージを利用者から受信するダイレクトメール受信手段と、該ダイレクトメール受信手段によって利用者が選択したダイレクトメール用イメージを受信すると、該ダイレクトメール用イメージを印刷するダイレクトメール印刷手段と、をさらに備えていることが好ましい。
【０００８】
【発明の実施の形態】
次に、本発明に係るダイレクトメール作成システムの実施例について図面に基づいて説明する。図１は、本実施例に係るダイレクトメール作成システムの概念図である。
【０００９】
本実施例に係るダイレクトメール作成システム１０は、図１に示すように、様々なデータ、情報などを記憶する記憶部１２と、プログラムを記憶するメモリ１４と、インターネットなどによって外部のコンピュータなどと情報の送受信を行う送受信部１６と、記憶部１２に記憶させる様々なデータ、情報などを入力可能な入力装置１７と、ダイレクトメールの印刷を行う印刷部１８と、メモリ１４に記憶されているプログラムを稼動し制御する制御部１９と、時計部２０と、を備えている。
【００１０】
記憶部１２は、本実施例に係るダイレクトメール作成システム１０にダイレクトメールを依頼する利用者の属性に関する情報などが記憶されている利用者情報記憶部２２と、利用者が過去に利用したイメージデータの属性に関する情報を記憶されている履歴情報記憶部２３と、ダイレクトメールに掲載されるイラストや写真などのイメージデータが記憶されているイメージデータ記憶部２４と、本実施例に係るダイレクトメール作成システム１０によって作成されるダイレクトメールのレイアウトに関する情報が記憶されているレイアウト情報記憶部２６と、を備えている。
【００１１】
利用者情報記憶部２２は、図２に示すようにそれぞれの利用者毎にＩＤ番号付せられ、例えば、利用者のダイレクトメールが配布される人の性別（男、女、男女）、利用者の業種（小売業、レストランなど）、利用者のダイレクトメールが配布される人の層（ＯＬ、主婦、子供、サラリーマンなど）、利用者のイメージ（高級、一般、安価など）、ダイレクトメールを送付する時期に関する送付時期情報、開催されるテーマ（決算セール、創業際など）などの利用者の属性情報、及び利用者の店名、住所、電話番号、メールアドレスなどダイレクトメールに記載される利用者の一般情報記憶されている。これら利用者情報記憶部２２に記憶される情報は、入力装置１７によって入力できるよう構成されている。利用者の属性情報のうち、送付時期情報は、複数の情報を記載することができ、テーマ情報は、送付時期情報と関連付けられて記憶されている。なお、テーマ情報は、任意的記憶情報であって、テーマ情報がない場合、送付時期情報の送付時期に合わせた通常の春夏秋冬がテーマとされるよう構成されている。
【００１２】
イメージデータ記憶部２４は、イラストや写真などダイレクトメールに掲載される様々なイメージデータが、ＩＤ番号が付せられて記憶されており、これら記憶されているイメージデータは、利用者情報記憶部２２に記憶されている利用者の属性情報の各項目と同一項目の属性情報と関連付けられて記憶されている。すなわち、イメージデータは、配布先性別、業種、配布先の層などの利用者情報記憶部に記憶されている利用者情報の属性情報の各項目と同一の属性情報と関連付けられており、例えば、配布先性別が男、業種が小売業、配布先の層が子供・・・という属性情報のイメージデータが記憶されている。これら記憶されているイメージデータには、そのイメージデータの属性に関する情報とも関連付けられて記憶されている。例えば、「明るい」、「落ち着いた」などイメージの雰囲気に関する属性などと関連付けられている。
【００１３】
レイアウト情報記憶部２６は、ダイレクトメールのレイアウト情報が記憶されており、これらレイアウト情報は、イメージデータ記憶部２４に記憶されているイメージデータのＩＤと一対一の関係で関連付けられて記憶されている。
【００１４】
メモリ１４には、本実施例に係るダイレクトメール作成システムの稼動を開始させる稼動開始プログラム２８と、利用者情報記憶部２２に記憶されている利用者の属性情報に基づいて、イメージデータ記憶部２４に記憶されているイメージデータのうち、少なくとも一以上のイメージデータを抽出するイメージデータ抽出プログラム３０と、イメージデータ抽出プログラム３０によって抽出されたイメージを利用してダイレクトメール用イメージデータを作成するダイレクトメール作成プログラム３２と、ダイレクトメール作成プログラム３２によって作成されたダイレクトメール用イメージデータを送受信部１６によって利用者に送信させるダイレクトメール送信プログラム３４と、利用者から後述するダイレクトメールの選択に関する情報が送受信部１６によって受信された場合に、ダイレクトメール用イメージデータの印刷を印刷部１８によって行わせるダイレクトメール印刷プログラム３６と、利用者によって選択されたダイレクトメールに掲載されているイメージデータの利用者属性情報を利用者の履歴情報として利用者情報記憶部２２に記憶させる履歴情報記憶プログラム３８と、を備えている。
【００１５】
稼動開始プログラム２８は、利用者情報記憶部２２に記憶されている送付時期情報の所定の期間前、例えば１ヶ月前に時計部２０の日時が達したときに、本実施例に係るダイレクトメール作成システム１０の稼動を開始させるプログラムである。
【００１６】
イメージデータ抽出プログラム３０は、稼動開始プログラム２８によって本実施例に係るダイレクトメール作成システム１０が開始させられると、利用者情報記憶部２２に記憶されている利用者の業種、テーマ情報などの利用者の属性情報に基づいて少なくとも一以上のイメージをイメージデータ記憶部２４に記憶されているイメージデータから抽出するプログラムである。例えば、テーマ情報が、決算セールであり、利用者の業種が衣服販売、ダイレクトメールが配布される人の層がＯＬの場合は、イメージデータ記憶部２４に記憶されているイメージデータのうち、それらいずれもの属性に関連付けられている少なくとも一以上のイメージデータを抽出するよう構成されている。なお、イメージデータ抽出プログラム３０は、その利用者の履歴情報が履歴情報記憶部２３に記憶されている場合、記憶されている過去に選択されたイメージデータの属性に関連する情報も関連付けて少なくとも一以上のイメージをイメージデータ記憶部２４に記憶されているイメージデータから抽出するよう構成されている。例えば、過去に「明るい」イメージのイメージデータが選択されている場合は、「明るい」イメージのイメージデータのみ抽出する。このように過去のイメージデータの属性に関する情報も関連付けることにより抽出するイメージデータを少なくすることができ、その後の利用者の選択を容易にすることができる。
【００１７】
ダイレクトメール作成プログラム３２は、イメージデータ抽出プログラム３０によって抽出された少なくとも一以上のイメージデータのＩＤと関連付けられているレイアウト情報記憶部２６に記憶されているレイアウト情報を選択し、それら一以上のイメージデータとそれらに関連するレイアウト情報を組み合わせて少なくとも一以上のダイレクトメール用イメージデータを作成するプログラムである。このダイレクトメール作成プログラム３２によって作成されたダイレクトメール用イメージデータは、ダイレクトメールの印刷にも利用できるフォーマットのデータである。
【００１８】
ダイレクトメール送信プログラム３４は、ダイレクトメール作成プログラム３２によって作成された少なくとも一以上のダイレクトメール用イメージデータを利用者情報記憶部２２に記憶されている利用者のメールアドレスに電子メールとして送受信部１６によって送信させるプログラムである。この電子メールには、送信される少なくとも一以上のダイレクトメール用イメージデータのうち一つのダイレクトメール用イメージデータの選択を促す情報が含まれている。
【００１９】
ダイレクトメール印刷プログラム３６は、利用者によって選択された一つのダイレクトメール用イメージデータの情報が含まれている電子メールが送受信部１６によって受信された場合に、その選択されたダイレクトメール用イメージデータを印刷部１８に印刷させるプログラムである。
【００２０】
履歴情報記憶プログラム３８は、利用者によって選択された一つのダイレクトメール用イメージデータの情報が含まれている電子メールが送受信部１６によって受信された場合に、利用者情報記憶部２２にその選択されたダイレクトメールに利用されているイメージデータの属性に関する情報を記憶するプログラムである。
【００２１】
次に、本実施例に係るダイレクトメール作成システムの動作について図３に示すフローチャートに基づいて説明する。先ず、利用者情報記憶部２２に記憶されている送付時期情報の所定の期間前、例えば１ヶ月前に時計部２０の日時が達すると、稼動開始プログラム２８が作動し、本実施例に係るダイレクトメール作成システム１０の稼動が開始する（Ｓ１００）。本実施例に係るダイレクトメール作成システム１０の稼動が開始すると、イメージデータ抽出プログラム３０が作動し、イメージデータ抽出プログラム３０は、先ず、履歴情報記憶部２３にその利用者が過去に利用したイメージデータの属性情報が記憶されているか否かを確認する（Ｓ１０２）。イメージデータの属性情報が記憶されていないと確認された場合、利用者情報記憶部２２に記憶されている利用者の業種、稼動を開始させる送付時期情報に対応するテーマ情報などの利用者の属性情報に基づいて少なくとも一以上のイメージをイメージデータ記憶部２４に記憶されているイメージデータから抽出する（Ｓ１０４）。イメージデータの属性情報が記憶されていると確認された場合、利用者情報記憶部２２に記憶されている利用者の業種、稼動を開始させる送付時期情報に対応するテーマ情報などの利用者の属性情報の他、履歴情報記憶部２３に記憶されている過去に選択されたイメージデータの属性に関する情報に基づいて少なくとも一以上のイメージをイメージデータ記憶部２４に記憶されているイメージデータから抽出する（Ｓ１０６）。
【００２２】
ステップ１０４又はステップ１０６において、少なくとも一以上のイメージデータが抽出されると、ダイレクトメール作成プログラム３２が作動し、ダイレクトメール作成プログラム３２は、イメージデータ抽出プログラム３０によって抽出された少なくとも一以上のイメージデータのＩＤと関連付けられているレイアウト情報記憶部２６に記憶されているレイアウト情報を選択し、それら一以上のイメージデータとそれらに関連するレイアウト情報を組み合わせて少なくとも一以上のダイレクトメール用イメージデータを作成する（Ｓ１０８）。
【００２３】
ダイレクトメール用イメージデータが作成されると、ダイレクトメール送信プログラム３４が作動し、送受信部１６は、ダイレクトメール作成プログラム３２によって作成された少なくとも一以上のダイレクトメール用イメージデータを利用者情報記憶部２２に記憶されている利用者のメールアドレスに電子メールとして送信する（Ｓ１１０）。
【００２４】
利用者は、少なくとも一以上のダイレクトメール用イメージデータを受信し（Ｓ２００）、受信された少なくとも一以上のダイレクトメール用イメージデータから所望のダイレクトメール用イメージデータを一つ選択し（Ｓ２０２）、その選択されたダイレクトメール用イメージデータを電子メールによって本実施例に係るダイレクトメール作成システム１０の送受信部１６に送信する（Ｓ２０４）。
【００２５】
送受信部１６が利用者から選択された一つのダイレクトメール用イメージデータの情報が含まれている電子メールを受信すると（Ｓ１１２）、ダイレクトメール印刷プログラム３６が作動し、印刷部１８は、その選択されたダイレクトメール用イメージデータを印刷する（Ｓ１１４）。また、ダイレクトメール印刷プログラム３６が作動すると同時又はその後に履歴情報記憶プログラム３８が作動し、利用者情報記憶部２２にその選択されたダイレクトメールに利用されているイメージデータの属性に関する情報を記憶させる（Ｓ１１６）。
【００２６】
【発明の効果】
以上のように、本発明に係るダイレクトメール作成システムによれば、前記利用者属性情報記憶部に記憶されている一の利用者の属性に関する情報に基づいて、前記イメージデータ記憶部に記憶されているイメージデータのうち少なくとも一以上のイメージデータを抽出するよう構成することにより、容易にダイレクトメールに掲載するイラストや写真などのイメージデータを用意することができ、容易にダイレクトメールを作成することができるダイレクトメール作成システムを提供することができる。
【図面の簡単な説明】
【図１】本発明に係るダイレクトメール作成システムの実施例の概略図である。
【図２】本実施例に係るダイレクトメール作成システムの利用者情報記憶部の概念図である。
【図３】本実施例に係るダイレクトメール作成システムの動作を示すフローチャートである。
【符号の説明】
２２　　利用者情報記憶部
２４　　イメージデータ記憶部
３０　　イメージデータ抽出プログラム
３２　　ダイレクトメール作成プログラム
３４　　ダイレクトメール送信プログラム
３６　　ダイレクトメール印刷プログラム
【図１】
2004029900.tif 000003
【図２】
2004029900.tif 000004
【図３】
2004029900.tif 000005